(57)【特許請求の範囲】
【請求項１】
下壁，上壁，一方側壁，他方側壁及び後壁により前側に開口を有したボックス状に形成され、内部を上記下壁に下履を載置して該下履を収納可能な収納空間として構成した本体を備え、該本体の収納空間に、上履が載置される上履板を設けた下駄箱において、
上記上履板を、上記下壁と平行で且つ該下壁に隣接し上履を載置可能にする使用位置、及び、上記下壁から離間して該下壁に下履を載置可能にする離間位置との２位置に移動可能に上記本体に支持し、
上記上履板を、上記離間位置でロック解除可能にロックするロック手段を備えたことを特徴とする下駄箱。
【請求項２】
上記上履板を移動させるための移動機構を設けたことを特徴とする請求項１記載の下駄箱。
【請求項３】
上記上履板を、一方側壁側及び他方側壁側に夫々分割した互いに対称形の一対の分割板で構成し、上記一方側壁側の分割板の側端縁を該一方側壁の下端部に回動可能に軸支し、上記他方側壁側の分割板の側端縁を該他方側壁の下端部に回動可能に軸支し、該一対の分割板の互いに鏡映対称になる回動により、該一対の分割板からなる上履板を、上記使用位置及び離間位置との２位置に移動可能にし、
上記移動機構を、上記各分割板の前端の互いに鏡面対称位置に突設される一対のピンと、上下動させられるとともに上下動時に上記一対のピンが摺接して上記各分割板を同時に回動させる長孔を有したガイド板と、上記本体の開口側に位置し該ガイド板を上下動させるためのノブとを備えて構成したことを特徴とする請求項２記載の下駄箱。
【請求項４】
上記上履板を、一方側壁側及び他方側壁側に夫々分割した互いに対称形の一対の分割板で構成し、上記一方側壁側の分割板の側端縁を該一方側壁の下端部に回動可能に軸支し、上記他方側壁側の分割板の側端縁を該他方側壁の下端部に回動可能に軸支し、該一対の分割板の互いに鏡映対称になる回動により、該一対の分割板からなる上履板を、上記使用位置及び離間位置との２位置に移動可能にし、
上記移動機構を、上記各分割板の後端の互いに鏡面対称位置に突設される一対のピンと、上下動させられるとともに上下動時に上記一対のピンが摺接して上記各分割板を同時に回動させる長孔を有したガイド板と、上記本体の開口側に位置し該ガイド板を上下動させるためのノブとを備えて構成したことを特徴とする請求項２記載の下駄箱。
【請求項５】
上記上履板を、上記下壁と平行な状態で上下動可能になるように上記本体に対してリンク機構を介して支持し、上記移動機構を、上記上履板の前端縁から突設したノブで構成したことを特徴とする請求項２記載の下駄箱。
【請求項６】
上記リンク機構を、パンタグラフ機構で構成し、該パンタグラフ機構を、上記一方側壁側及び他方側壁側に夫々設けたことを特徴とする請求項５記載の下駄箱。
【請求項７】
上記ロック手段を、上記本体側及び上記上履板側の何れか一方に設けられるマグネットと、上記本体側及び上記上履板側の何れか他方に設けられ上記マグネットに磁着可能な磁着体とで構成したことを特徴とする請求項１乃至６何れかに記載の下駄箱。
【発明の詳細な説明】
【技術分野】
【０００１】  本発明は、下履及び上履の両方を収納することができる下駄箱に関する。
【背景技術】
【０００２】  従来、図８に示すように、この種の下駄箱Ｔａは、下壁１０１，上壁１０２，一方側壁１０３，他方側壁１０４及び後壁１０５により前側に開口１０６を有したボックス状に形成された本体１００を備えている。本体１００の内部は、下壁１０１に下履ＳＡを載置してこの下履ＳＡを収納可能な収納空間Ｅａとして構成されている。また、本体１００の収納空間Ｅａの中央より上側には、下壁１０１と平行で上履ＳＢが載置される上履板１０７が設けられている。この上履板１０７は、一方側壁１０３，他方側壁１０４及び後壁１０５に固定されている。これにより、下駄箱内の収納空間Ｅａを上履板１０７によって上下に区分し、下履ＳＡ及び上履ＳＢを夫々専用の載置面に載置できるようにして特に上履ＳＢが下履ＳＡに付着した土などによって汚れないようにしている（例えば、実開昭４８−７７２２９号公報に掲載）。【０００３】  また、従来においては、図９に示すような下駄箱Ｔｂも知られている。この下駄箱Ｔｂは、下壁１０１，上壁１０２，一方側壁１０３，他方側壁１０４及び後壁１０５により前側に開口１０６を有したボックス状に形成された本体１００を備えている。本体１００の内部は、下壁１０１に下履ＳＡを載置してこの下履ＳＡを収納可能な収納空間Ｅａとして構成されている。収納空間Ｅａ内には、下壁１０１に載せられる脚１１１を有し履物を載置できる傾斜した載置板１１２を有した置き台１１０が収納されている。このため、下壁１０１に下履ＳＡを載置し、置き台１１０の載置板１１２に上履ＳＢを載置して両者を同時に収納することができる。これにより、下駄箱内の収納空間Ｅａを載置板１１２によって斜めに区分し、下履ＳＡ及び上履ＳＢを夫々専用の載置面に載置できるようにして、上履ＳＢが下履ＳＡに付着した土などによって汚れないようにすることができる。置き台１１０の載置板１１１により、収納空間Ｅａを斜めに区分しているので、それだけ収納空間Ｅａを小さくすることができることから、省スペース化が図られている（例えば、実用新案登録第３０７２７４０号公報に掲載）。
【先行技術文献】
【特許文献】
【０００４】
【特許文献１】  実開昭４８−７７２２９号公報
【特許文献２】  実用新案登録第３０７２７４０号公報
【発明の概要】
【発明が解決しようとする課題】
【０００５】  しかしながら、上記前者の特許文献１記載の下駄箱Ｔａにあっては、収納空間Ｅａが、上履板１０７によって、下履ＳＡ用のスペースと、上履ＳＢ用のスペースとの上下に区分けされているので、それだけ、収納空間Ｅａを広く必要とし、下駄箱全体が大きくなってしまうという問題がある。また、下駄箱の使用者が下履ＳＡを履いている際には、下履ＳＡの収納スペースが空いており、上履ＳＢを履いている際には、上履ＳＢの収納スペースが空くことになり、どちらか一方に履物が置かれている場合、もう一方の収納スペースは使われないまま空いてしまうので、無駄があるという問題もある。【０００６】  一方、上記後者の特許文献２記載の下駄箱Ｔｂにあっては、置き台１１０の載置板１１１により、収納空間Ｅａを斜めに区分しているので、それだけ収納空間Ｅａを小さくすることができるが、それでも、上履ＳＢの後壁１０５側の部分を収納するスペースと、開口１０６側に出っ張る部分のスペースとを、ある程度確保しなければならない。また、下履ＳＡを収納する際、あるいは、下履ＳＡを取り出す際には、置き台１１０も逐一取り出さなければならないので、それだけ、収納，取り出し作業が煩雑になっているという問題がある。【０００７】  本発明は上記の点に鑑みて為されたもので、下履及び上履の夫々の専用の載置面を確保しつつ、収納空間を下履と上履とのいずれか一方を収納できるように共用化し、収納空間を小さくして無駄なスペースの削減を図るとともに、下履及び上履の収納，取り出し作業を容易にできるようにした下駄箱を提供することを目的とする。
【課題を解決するための手段】
【０００８】  このような目的を達成するための本発明の下駄箱は、下壁，上壁，一方側壁，他方側壁及び後壁により前側に開口を有したボックス状に形成され、内部を上記下壁に下履を載置して該下履を収納可能な収納空間として構成した本体を備え、該本体の収納空間に、上履が載置される上履板を設けた下駄箱において、上記上履板を、上記下壁と平行で且つ該下壁に隣接し上履を載置可能にする使用位置、及び、上記下壁から離間して該下壁に下履を載置可能にする離間位置との２位置に移動可能に上記本体に支持し、上記上履板を、上記離間位置でロック解除可能にロックするロック手段を備えた構成としている。【０００９】  この下駄箱を使用する際、先ず、上履を収納しておくときは、上履板を使用位置に位置させて、この上履板に上履を載置する。この状態で、下履を収納して上履を履くときは、上履板上に置かれた上履を取出し、上履板を離間位置に移動させ、ロック手段によりロックする。上履板の離間位置では、下壁が露出した収納空間になるので、下履を下壁に載置して収納する。
一方、上履を収納して下履を履くときは、下壁に置かれた下履を取出し、ロック手段のロックを解除して上履板を使用位置に移動させる。上履板の使用位置では、上履板の載置面が露出した収納空間になるので、上履を上履板に載置して収納する。【００１０】  これにより、収納空間を下履と上履とのいずれか一方を収納できるようにして共用化することができるので、収納空間を小さくして無駄なスペースの削減を図ることができる。また、収納空間を共用化しても、下履は専用の下壁の載置面に載置され、上履は専用の上履板に載置されることになるので、上履に下履の土などの汚れが付着する事態を防止することができる。更に、下履及び上履の収納，取り出しの際は、本体に支持された上履板を、外に取り出すことなく収納空間内部で使用位置もしくは離間位置に移動させるだけの簡単な操作をするだけで良いので、下履及び上履の収納，取り出し作業を容易に行うことができる。【００１１】  そして、必要に応じ、上記上履板を移動させるための移動機構を設けた構成としている。これにより、上履板を使用位置もしくは離間位置に容易に移動させることができる。【００１２】  また、必要に応じ、上記上履板を、一方側壁側及び他方側壁側に夫々分割した互いに対称形の一対の分割板で構成し、上記一方側壁側の分割板の側端縁を該一方側壁の下端部に回動可能に軸支し、上記他方側壁側の分割板の側端縁を該他方側壁の下端部に回動可能に軸支し、該一対の分割板の互いに鏡映対称になる回動により、該一対の分割板からなる上履板を、上記使用位置及び離間位置との２位置に移動可能にし、上記移動機構を、上記各分割板の前端の互いに鏡面対称位置に突設される一対のピンと、上下動させられるとともに上下動時に上記一対のピンが摺接して上記各分割板を同時に回動させる長孔を有したガイド板と、上記本体の開口側に位置し該ガイド板を上下動させるためのノブとを備えて構成したことを特徴とする構成としている。【００１３】  この構成によれば、上履板を使用位置から離間位置に移動させる際は、移動機構のノブを把持してガイド板を上昇させる。これにより、各分割板のピンがガイド板の長孔を摺接し、各分割板は同時に回動させられて離間位置に至る。上履板はロック手段により離間位置にロックする。この場合、ノブを上昇させるだけの簡単な操作で、上履板を使用位置から離間位置に移動させることができるので、作業を容易に行うことができる。
一方、上履板を離間位置から使用位置に移動させる際は、ロック手段のロックを解除し、移動機構のノブを把持してガイド板を下降させる。これにより、各分割板のピンがガイド板の長孔を摺接し、各分割板は同時に回動させられて使用位置に至る。この場合、ノブを下降させるだけの簡単な操作で、上履板を離間位置から使用位置に移動させることができるので、作業を容易に行うことができる。【００１４】  また、この構成において、上履板は、一対の分割板で構成したので、一枚の上履板に比較して、略半分の大きさになることから、分割板を回動により離間位置に位置させたとき、その高さを低く抑えることができる。そのため、収納空間のスペースを分割板に合わせて小さくすることができ、確実に無駄なスペースの削減を図ることができる。【００１５】  更に、必要に応じ、上記上履板を、一方側壁側及び他方側壁側に夫々分割した互いに対称形の一対の分割板で構成し、上記一方側壁側の分割板の側端縁を該一方側壁の下端部に回動可能に軸支し、上記他方側壁側の分割板の側端縁を該他方側壁の下端部に回動可能に軸支し、該一対の分割板の互いに鏡映対称になる回動により、該一対の分割板からなる上履板を、上記使用位置及び離間位置との２位置に移動可能にし、上記移動機構を、上記各分割板の後端の互いに鏡面対称位置に突設される一対のピンと、上下動させられるとともに上下動時に上記一対のピンが摺接して上記各分割板を同時に回動させる長孔を有したガイド板と、上記本体の開口側に位置し該ガイド板を上下動させるためのノブとを備えて構成したことを特徴とする構成としている。これにより、上記と同様の作用，効果を奏する。加えて、移動機構のガイド板は、各分割板の後端側、即ち、後壁側に位置するので、本体内部に隠されることになることから、それだけ、外観品質を向上させることができる。【００１６】  更にまた、必要に応じ、上記上履板を、上記下壁と平行な状態で上下動可能になるように上記本体に対してリンク機構を介して支持し、上記移動機構を、上記上履板の前端縁から突設したノブで構成している。
この構成によれば、上履板を使用位置から離間位置に移動させる際は、移動機構のノブを把持してガイド板を上昇させる一方、上履板を離間位置から使用位置に移動させる際は、移動機構のノブを把持して上履板を下降させる。この場合、ノブを昇降動させるだけの簡単な操作で、上履板を離間位置と使用位置間で移動させることができるので、作業を容易に行うことができる。また、上履板を一枚の板で構成し、リンク機構で支持するので、機構を簡単にすることができる。【００１７】  この場合、上記リンク機構を、パンタグラフ機構で構成し、該パンタグラフ機構を、上記一方側壁側及び他方側壁側に夫々設けたことが有効である。パンタグラフ機構で上履板の両側を支持するので、上履板の支持が安定する。また、上履板を下壁と平行にして上下動させることができるので、動作をスムーズに行うことができる。【００１８】  更に、必要に応じ、上記ロック手段を、上記本体側及び上記上履板側の何れか一方に設けられるマグネットと、上記本体側及び上記上履板側の何れか他方に設けられ上記マグネットに磁着可能な磁着体とで構成している。ロックするときは磁着体をマグネットに磁着し、ロック解除するときは上履板を下降させて磁着解除させる。簡単な機構でロック及びロック解除することができ、安価に作製できる。
【発明の効果】
【００１９】  本発明によれば、下履及び上履の夫々の専用の載置面を確保しつつ、収納空間を下履と上履とのいずれか一方を収納できるように共用化し、収納空間を小さくして無駄なスペースの削減を図るとともに、下履及び上履の収納，取り出し作業を容易に行うことができる。そのため、下駄箱を小型化することができ、この下駄箱を行列状に多数連設した下駄箱装置であって、例えば、学校の出入口に設置される下駄箱装置などにおいても、小型化を図ることができ、極めて有用になる。
【図面の簡単な説明】
【００２０】
【図１】本発明の第１の実施の形態に係る下駄箱を透視して示す斜視図である。
【図２】本発明の第１の実施の形態に係る下駄箱を上履板の使用位置で示し、（ａ）は正面図、（ｂ）は平面断面図である。
【図３】本発明の第１の実施の形態に係る下駄箱を上履板の離間位置で示し、（ａ）は正面図、（ｂ）は平面断面図である。
【図４】本発明の第１の実施の形態に係る下駄箱の上履板の移動過程を示す正面図である。
【図５】本発明の第２の実施の形態に係る下駄箱を透視して示す斜視図である。
【図６】本発明の第３の実施の形態に係る下駄箱を透視して示す斜視図である。
【図７】本発明の第３の実施の形態に係る下駄箱を示す側面断面図である。
【図８】従来の下駄箱の一例を示す断面図である。
【図９】従来の別の下駄箱の一例を示す断面図である。
【発明を実施するための形態】
【００２１】  以下、添付図面に基づいて、本発明の実施の形態に係る下駄箱について詳細に説明する。
図１乃至図４には、本発明の第１の実施の形態に係る下駄箱Ｔを示している。
この下駄箱Ｔは、下履ＳＡ及び上履ＳＢの両方を収納することができるもので、基本的構成は、本体１と、本体１内を移動する上履板１０と、上履板１０を移動させるための移動機構２０と、上履板１０のロック手段３０とから構成されている。
【００２２】  本体１は、下壁２，上壁３，一方側壁４，他方側壁５及び後壁６により前側に開口７を有した矩形のボックス状に形成され、内部を下壁２に下履ＳＡを載置してこの下履ＳＡを収納可能な収納空間Ｅとして構成されている。
【００２３】  上履板１０は、この本体１の収納空間Ｅ内に設けられており、上履ＳＢが載置される。この上履板１０は、下壁２と平行で且つ下壁２に隣接し上履ＳＢを載置可能にする使用位置Ｘ、及び、下壁２から離間して下壁２に下履ＳＡを載置可能にする離間位置Ｙとの２位置に移動可能に、本体１に支持されている。
【００２４】  詳しくは、上履板１０は、矩形板状のもので、一方側壁４側及び他方側壁５側に夫々分割した互いに対称形の一対の分割板１１で構成されている。一方側壁４側の分割板１１の側端縁は、一方側壁４の下端部に回動可能に軸支され、他方側壁５側の分割板１１の側端縁は、他方側壁５の下端部に回動可能に軸支されており、一対の分割板１１の互いに鏡映対称になる回動により、この一対の分割板１１からなる上履板１０は、使用位置Ｘ及び離間位置Ｙとの２位置に移動可能に支持されている。
【００２５】  一方側壁４及び他方側壁５の下端部の前後には、夫々、所定間隔離間して溶接固定された一対の固定軸受１２の組が設けられている。一方、各分割板１１の側端縁には、夫々、固定軸受１２間に介装される可動軸受１３が一体形成されている。そして、この固定軸受１２及び可動軸受１３に回動軸１４が挿通され、この回動軸１４を中心に各分割板１１は、夫々、回動可能に軸支されている。
【００２６】  また、上履板１０を移動させるための移動機構２０は、各分割板１１の前端の互いに鏡面対称位置に突設される一対のピン２１と、上下動させられるとともに上下動時に一対のピン２１が夫々挿入され且つ摺接して各分割板１１を同時に回動させる一対の長孔２２を有したガイド板２３と、本体１の開口７側に位置しガイド板２３を上下動させるためのノブ２４とを備えて構成されている。ガイド板２３は、例えば、磁着性材料の鉄などで形成された細長の矩形板状のもので、左右端に内側に折曲形成されて、一方側壁４及び他方側壁５の内面を夫々摺接可能な一対の摺接部２５を有している。この摺接部２５により、ガイド板２３は傾くことなく上下動させられる。また、ガイド板２３のピン２１からの脱落を阻止するために、ピン２１の先端には長孔２２の幅よりも大径のストッパ２６が設けられている。ノブ２４はガイド板２３の中央であって、一対の長孔２２間から突設して設けられている。
【００２７】  ロック手段３０は、本体１側及び上履板１０側の何れか一方（実施の形態では本体１）に設けられるマグネット３１と、本体１側及び上履板１０側の何れか他方（実施の形態ではガイド板２３）に設けられマグネット３１に磁着可能な磁着体３２とで構成されている。マグネット３１は、本体１の上壁３の開口７側中央に付設されている。磁着体３２は、ガイド板２３の中央を内向きに折曲形成した矩形板状に形成されている。ガイド板２３は、例えば、磁着性材料の鉄などで形成されているので、磁着体３２はマグネット３１に磁着する。尚、磁着体３２自体をマグネットで構成しても良い。この場合、本体１を鉄などの磁着性剖材で形成し、本体１の一部を磁着体として構成して良く、適宜変更して差支えない。ロックするときは磁着体３２をマグネット３１に磁着し、ロック解除するときは上履板１０を下降させて磁着解除させる。簡単な機構でロック及びロック解除することができ、安価に作製できる。
【００２８】  従って、この実施の形態に係る下駄箱Ｔによれば、以下のように使用する。
先ず、図２に示すように、上履ＳＢを収納しておくときは、上履板１０を使用位置Ｘに位置させて、この上履板１０に上履ＳＢを載置する。この状態で、下履ＳＡを収納して上履ＳＢを履くときは、図１，図３及び図４に示すように、上履板１０上に置かれた上履ＳＢを取出し、上履板１０を離間位置Ｙに移動させる。この際、移動機構２０のノブ２４を把持してガイド板２３を上昇させる。これにより、各分割板１１のピン２１がガイド板２３の長孔２２を摺接し、各分割板１１は同時に回動させられて離間位置Ｙに至る。上履板１０はロック手段３０により離間位置Ｙにロックする。この状態では、下壁２が露出した収納空間Ｅになるので、下履ＳＡを下壁２に載置して収納する。この場合、上履ＳＢの取り出し後は、ノブ２４を上昇させるだけの簡単な操作で、下履ＳＡの収納を行うことができるので、作業を容易に行うことができる。
【００２９】  一方、上履ＳＢを収納して下履ＳＡを履くときは、図３に示す離間位置Ｙの状態で、下壁２に置かれた下履ＳＡを取出し、図２及び図４に示すように、ロック手段３０のロックを解除して上履板１０を使用位置Ｘに移動させる。この際、移動機構２０のノブ２４を把持してガイド板２３を下降させる。これにより、各分割板１１のピン２１がガイド板２３の長孔２２を摺接し、各分割板１１は同時に回動させられて使用位置Ｘに至る。この使用位置Ｘでは、上履板１０の載置面が露出した収納空間Ｅになるので、上履ＳＢを上履板１０に載置して収納する。この場合、下履ＳＡの取り出し後は、ノブ２４を下降させるだけの簡単な操作で、上履ＳＢの収納を行うことができるので、作業を容易に行うことができる。また、上履ＳＢは、下履ＳＡが載置されていた下壁２ではなく、専用の上履板１０に載置されることになるので、下履ＳＡの土などが付着することがないことから、上履ＳＢに汚れが付着する事態が防止される。
【００３０】  これにより、収納空間Ｅを下履ＳＡと上履ＳＢとのいずれか一方を収納できるようにして共用化することができるので、収納空間Ｅを小さくして無駄なスペースの削減を図ることができる。特に、上履板１０は、一対の分割板１１で構成したので、一枚の上履板１０に比較して、略半分の大きさになることから、分割板１１を回動により離間位置Ｙに位置させたとき、その高さを低く押えることができる。そのため、収納空間Ｅのスペースを分割板１１に合わせて小さくすることができ、確実に無駄なスペースの削減を図ることができる。
【００３１】  また、収納空間Ｅを共用化しても、下履ＳＡは専用の下壁２の載置面に載置され、上履ＳＢは専用の上履板１０に載置されることになるので、上履ＳＢに下履ＳＡの土などの汚れが付着する事態を防止することができる。更に、下履ＳＡ及び上履ＳＢの収納，取り出しの際は、本体１に支持された上履板１０を、外に取り出すことなく収納空間Ｅ内部で使用位置Ｘもしくは離間位置Ｙに移動させるだけの簡単な操作をするだけで良いので、下履ＳＡ及び上履ＳＢの収納，取り出し作業を容易に行うことができる。
【００３２】  次に、第２の実施の形態に係る下駄箱Ｔを説明する。
図５に示すように、これは、上記第１の実施の形態と同様に構成されるが、上記と異なって、移動機構２０の一対のピン２１及びガイド板２３が後壁６側に設けられているとともに、ロック手段３０も後壁６側に設けられている。即ち、一対のピン２１は各分割板１１の後端に突設され、ガイド板２３はこの一対のピン２１を介して各分割板１１を同時に回動させるように後壁６側に設けられている。また、移動機構２０のノブ２４は、各分割板１１の前端に夫々設けられている。これにより、ノブ２４を操作して分割板１１を回動させれば、上履板１０を使用位置Ｘから離間位置Ｙに移動させ、あるいは、上履板１０を離間位置Ｙから使用位置Ｘに移動させることができる。このため、上記第１の実施の形態と同様の作用，効果を奏する。また、この第２の実施の形態によれば、移動機構２０の一対のピン２１，ガイド板２３及びロック手段３０が後壁６側に設けられているので、本体１内部に隠されることになることから、それだけ、外観品質を向上させることができる。
【００３３】  次にまた、第３の実施の形態に係る下駄箱Ｔを説明する。
図６及び図７に示すように、この下駄箱Ｔは、上記と同様の本体１を有するとともに、本体１の収納空間Ｅには、下壁２よりは僅かに小さい矩形状に形成され上履ＳＢが載置される１枚の上履板１０が設けられている。上履板１０は、下壁２と平行で且つ下壁２に隣接し上履ＳＢを載置可能にする使用位置Ｘ、及び、下壁２から離間して下壁２に下履ＳＡを載置可能にする離間位置Ｙとの２位置に移動可能に本体１に支持されている。詳しくは、上履板１０は、鉄などの磁着性の金属板で形成されており、下壁２と平行な状態で上下動可能になるように本体１に対してリンク機構を介して支持されている。リンク機構は、パンタグラフ機構４０で構成されており、パンタグラフ機構４０は、一方側壁４側及び他方側壁５側に夫々設けられている。各パンタグラフ機構４０は、一端が側壁下部に軸支される第１リンク４１と、一端が第１リンク４１の他端に軸支され他端が上履板１０の側部に軸支される第２リンク４２とからなるリンクの組を鏡映対称に一対備えて構成されている。また、移動機構２０は、上履板１０の前端縁から突設されたノブ２４で構成されている。更に、ロック手段３０は、マグネット３１と磁着体３２とで構成されており、マグネット３１は、本体１の上壁３の開口７側中央に付設されている。磁着体３２は、上履板１０の前端部中央のマグネット３１に対向する部位で構成されている。
【００３４】  この第３の実施の形態に係る下駄箱Ｔによれば、上履板１０を使用位置Ｘから離間位置Ｙに移動させる際は、移動機構２０のノブ２４を把持してガイド板２３を上昇させ、上履板１０の磁着体３２をマグネット３１に磁着してロックする。一方、上履板１０を離間位置Ｙから使用位置Ｘに移動させる際は、移動機構２０のノブ２４を把持して上履板１０を下げてマグネット３１から離間させるとともに下降させる。この場合、ノブ２４を昇降動させるだけの簡単な操作で、上履板１０を離間位置Ｙと使用位置Ｘ間で移動させることができるので、作業を容易に行うことができる。また、上履板１０を一枚の板で構成し、パンタグラフ機構４０で支持するので、機構を簡単にすることができる。更に、パンタグラフ機構４０で上履板１０の両側を支持するので、上履板の支持が安定する。更にまた、上履板１０を下壁２と平行にして上下動させることができるので、動作をスムーズに行うことができる。他の作用，効果は上記と同様である。
【００３５】  尚、上記実施の形態において、ロック手段３０は、マグネット３１を用いて構成したが、必ずしもこれに限定されるものではなく、例えば、フックで係止するような機構でも良く、適宜変更して差支えない。また、開口７は常開のもので説明したが、必ずしもこれに限定されるものではなく、扉を設けて開閉できるようにしても良く適宜変更して差支えない。
【符号の説明】
【００３６】  Ｔ  下駄箱
ＳＡ  下履
ＳＢ  上履
１  本体
２  下壁
３  上壁
４  一方側壁
５  他方側壁
６  後壁
７  開口
Ｅ  収納空間
１０  上履板
Ｘ  使用位置
Ｙ  離間位置
１１  分割板
１２  固定軸受
１３  可動軸受
１４  回動軸
２０  移動機構
２１  ピン
２２  長孔
２３  ガイド板
２４  ノブ
２５  摺接部
２６  ストッパ
３０  ロック手段
３１  マグネット
３２  磁着体
４０  パンタグラフ機構
４１  第１リンク
４２  第２リンク
【要約】
【課題】  下履及び上履の夫々の専用の載置面を確保しつつ、収納空間を下履と上履とのいずれか一方を収納できるように共用化し、収納空間を小さくして無駄なスペースの削減を図るとともに、下履及び上履の収納，取り出し作業を容易にできるようにする。
【解決手段】  下壁２，上壁３，一方側壁４，他方側壁５及び後壁６により前側に開口７を有したボックス状に形成され、内部を下壁２に下履ＳＡを載置して収納可能な収納空間Ｅとして構成した本体１を備え、この本体１の収納空間Ｅに、上履ＳＢが載置される上履板１０を設け、この上履板１０を、下壁２と平行で且つ下壁２に隣接し上履ＳＢを載置可能にする使用位置Ｘ、及び、下壁２から離間して下壁２に下履ＳＡを載置可能にする離間位置Ｙとの２位置に移動可能に本体１に支持し、上履板１０を離間位置Ｘでロック解除可能にロックするロック手段３０を備えた。
【選択図】図１【図１】
0006041064.tif 000002
【図２】
0006041064.tif 000003
【図３】
0006041064.tif 000004
【図４】
0006041064.tif 000005
【図５】
0006041064.tif 000006
【図６】
0006041064.tif 000007
【図７】
0006041064.tif 000008
【図８】
0006041064.tif 000009
【図９】
0006041064.tif 000010